【手続補正書】
【提出日】平成20年10月29日(2008.10.29)
【手続補正１】
【補正対象書類名】明細書
【補正対象項目名】００５８
【補正方法】変更
【補正の内容】
【００５８】
洗浄工程（１）は、例えば、図１乃至図５に示す洗浄装置により行われる。図１乃至図５では、搬送されるフィルムｆ（ポリビニルアルコール系フィルム）は、第１ピンチロール２１、次いで、第１ガイドロール１１および第２ガイドロール１２を通過させて、洗浄浴Ｂに浸漬するとともに、第２ピンチロール２２に導かれる。また、フィルムｆは、第１ピンチロール２１と第２ピンチロール２２の周速差を利用して、延伸しながら洗浄される。第１ピンチロール２１にはガイドロール３１が、第２ピンチロール２２にはガイドロール３２が、対向して設けられている。洗浄浴Ｂは、洗浄槽Ａ内に含有される。
【手続補正２】
【補正対象書類名】明細書
【補正対象項目名】００６２
【補正方法】変更
【補正の内容】
【００６２】
また、洗浄工程（１）では、少なくとも第２ガイドロール１２は、エキスパンダーロールを用いる。エキスパンダーロールの面長は、ポリビニルアルコール系フィルムの原反幅以上となるように、２３００ｍｍ以上のものが用いられる。通常、エキスパンダーロールの面長は、ポリビニルアルコール系フィルムの膨張率は通常１．５倍以下であり、原反フィルムの１．５倍以下にするのが一般的である。エキスパンダーロールによれば、フィルムｆが膨潤して飽和に達する前に、エキスパンダーロールを通過しても、フィルムｆの折れの発生は抑えられる。そのため、エキスパンダーロールを通過する時にフィルムｆが飽和状態になっている必要はない。
【手続補正３】
【補正対象書類名】明細書
【補正対象項目名】００６５
【補正方法】変更
【補正の内容】
【００６５】
図１では、第１ガイドロール１１と第２ガイドロール１２は、いずれも洗浄浴Ｂ中に設置され、かつ第１ガイドロール１１と第２ガイドロール１２との間のフィルムのパスライン長（ａ）は５０ｃｍ以上に調整されている。パスライン長（ａ）が５０ｃｍ未満ではフィルム折れやシワの発生を十分に抑えられない。パスライン長（ａ）は、第１ガイドロール１１とフィルムｆの最終接触点と第２ガイドロール１２とフィルムｆの最始接触点間の長さである。パスライン長（ａ）は１ｍ以上が好ましく、さらには１．５ｍ以上、さらには２ｍ以上であるのが好ましい。一方、パスライン長（ａ）は１０ｍ以上に長くすることができるが、長くすると装置が大きくなるのみで、特に利点がなく、通常、パスライン長（ａ）は、１０ｍ以下とするのが好ましい。なお、第１ガイドロール１１は、フラットロールであってもよく、エキスパンダーロールであってもよい。
【手続補正４】
【補正対象書類名】明細書
【補正対象項目名】００６８
【補正方法】変更
【補正の内容】
【００６８】
パスライン長（ｂ）が５０ｃｍ未満ではフィルム折れやシワの発生を十分に抑えられない。パスライン長（ｂ）は、フィルムｆが、洗浄浴Ｂに最初に接触した点と第２ガイドロール１２とフィルムｆの最始接触点間の長さである。パスライン長（ｂ）は、１ｍ以上が好ましく、さらには１．５ｍ以上、さらには２ｍ以上であるのが好ましい。一方、パスライン長（ｂ）は１０ｍ以上に長くすることができるが、長くすると装置が大きくなるのみで、特に利点がなく、通常、パスライン長（ｂ）は、１０ｍ以下とするのが好ましい。なお、図２において、第１ガイドロール１１は、フラットロールであってもよく、エキスパンダーロールであってもよい。
【手続補正５】
【補正対象書類名】明細書
【補正対象項目名】００７０
【補正方法】変更
【補正の内容】
【００７０】
図１、図２では、第１ピンチロールと第２ピンチロールの間に設けられているガイドロールは、第１ガイドロール１１と第２ガイドロール（エキスパンダーロール）１２の２本のみであり、メンテナンス等も少なく経済的である。一方、図３、図４、図５に示すように、第２ガイドロール１２を設けた後に、第３ガイドロール１３を設けることができる。図３、図４、図５では、第３ガイドロール１３が１つ設けられているが、第２ガイドロール１２と第２ピンチロール２２の間には、複数のガイドロールを設けることもできる。第３ガイドロールを設けることは、パス長を長くすることができ、浸漬時間が調整しやすくなる点から好ましい。第３ガイドロールは、洗浄浴中にあってもよく、洗浄浴外にあってもよい。図３、図４では、第３ガイドロール１３は洗浄浴Ｂ中に設けてられており、図５では洗浄浴Ｂ外に設けられている。
【手続補正６】
【補正対象書類名】明細書
【補正対象項目名】００７３
【補正方法】変更
【補正の内容】
【００７３】
洗浄工程（２）においても、洗浄工程（１）と同様の図１乃至図５に示す洗浄装置により行われる。洗浄浴Ｂは、洗浄槽Ａ内に含有される。洗浄工程（２）では、洗浄浴Ｂは、通常、水またはヨウ化化合物を含有する水溶液が用いられる。特に、染色工程、架橋工程、延伸工程の各工程の全て施した後に施される洗浄工程（２）では、ヨウ化カリウム等のヨウ化化合物を含有する水溶液を用いるのが好ましい。ヨウ化化合物を含有する水溶液の濃度は０．５〜１０重量％程度、さらには１〜８重量％とするのが好ましい。
【手続補正７】
【補正対象書類名】明細書
【補正対象項目名】００７８
【補正方法】変更
【補正の内容】
【００７８】
洗浄工程（２）では、少なくとも第２ガイドロール１２は、エキスパンダーロールを用いる。エキスパンダーロールの面長は、洗浄工程（２）において、第２ピンチロール２２を通過する、ポリビニルアルコール系フィルムの幅以上となるように、１５００ｍｍ以上のものが用いられる。通常、エキスパンダーロールの面長は、使用するポリビニルアルコール系フィルムの原反幅以下である。
【手続補正８】
【補正対象書類名】明細書
【補正対象項目名】００８２
【補正方法】変更
【補正の内容】
【００８２】
洗浄工程（２）においても、洗浄工程（１）と同様に、図２では、パスライン長（ｂ）は５０ｃｍ以上に調整されている。パスライン長（ｂ）は、１ｍ以上が好ましく、さらには１．５ｍ以上、さらには２ｍ以上であるのが好ましい。一方、パスライン長（ｂ）は１０ｍ以上に長くすることができるが、長くすると装置が大きくなるのみで、特に利点がなく、通常、パスライン長（ｂ）は、１０ｍ以下とするのが好ましい。
【手続補正９】
【補正対象書類名】明細書
【補正対象項目名】００８３
【補正方法】変更
【補正の内容】
【００８３】
また、図２の第１ガイドロール１１は、第１ガイドロール１１の最下面と、洗浄浴Ｂの液面の高さの距離（ｃ）が０．１〜３０ｃｍであるのが好ましい。前記距離（ｃ）は、好ましくは、０．１〜２０ｃｍ、さらに好ましくは０．１〜１０ｃｍである。
【手続補正１０】
【補正対象書類名】明細書
【補正対象項目名】００８４
【補正方法】変更
【補正の内容】
【００８４】
洗浄工程（２）においても、洗浄工程（１）と同様に、図１、図２において、第１ガイドロール１１は、フラットロールであってもよく、エキスパンダーロールであってもよい。また、洗浄工程（１）と同様に、第３ガイドロール等を設けることができる。
【手続補正１１】
【補正対象書類名】明細書
【補正対象項目名】０１８９
【補正方法】変更
【補正の内容】
【０１８９】
１１  第１ガイドロール
１２  第２ガイドロール
１３  第３ガイドロール
２１  第１ピンチロール
２２  第２ピンチロール
ａ  第１ガイドロールと第２ガイドロールの間のフィルムのパスライン長
ｂ  第１ガイドロールと第２ガイドロールの間でフィルムが洗浄浴に浸漬されているパスライン長
ｃ  第１ガイドロールの最下面と、洗浄浴の液面の高さの距離
Ａ  洗浄槽
Ｂ  洗浄浴
【手続補正１２】
【補正対象書類名】図面
【補正対象項目名】図３
【補正方法】変更
【補正の内容】
【図３】
2007226035.tif 000001
【手続補正１３】
【補正対象書類名】図面
【補正対象項目名】図４
【補正方法】変更
【補正の内容】
【図４】
2007226035.tif 000002